(57)【要約】【課題】  コミュニケーションシステムのパケットプリアンブル検索方法を提供する。【解決手段】  パケットの既定の規則的なフォームの複数の既定パターンを有し、前記既定パターンは、同じ既定の偶数ビット長を有するパケットプリアンブルを検索するコミュニケーションシステムのパケットプリアンブル検索方法であって、順次の複数パターンを有し、且つ、前記各パターンが既定のビット長を有する伝送信号を受けるステップ、前記伝送信号のパターンを前記既定パターンと順次に比較し、前記伝送信号のパターンが前記既定パターンに一致した時、ヒット数を増やすステップ、および前記ヒット数が既定閾値より大きい、または等しい時、アドレス一致の手順を起動するステップを含む。【選択図】      図２
2007184922.tif 000002
【特許請求の範囲】
【請求項１】
パケットの既定の規則的なフォームの複数の既定パターンを有し、前記既定パターンは、同じ既定の偶数ビット長を有するパケットプリアンブルを検索するコミュニケーションシステムのパケットプリアンブル検索方法であって、
順次の複数パターンを有し、且つ、前記各パターンが既定のビット長を有する伝送信号を受けるステップ、
前記伝送信号のパターンを前記既定パターンと順次に比較し、前記伝送信号のパターンが前記既定パターンに一致した時、ヒット数を増やすステップ、および
前記ヒット数が既定閾値より大きい、または等しい時、アドレス一致の手順を起動するステップを含むパケットプリアンブル検索方法。
【請求項２】
前記伝送信号のパターンと前記既定パターンとの順次比較は、
前記伝送信号のパターンが前記既定パターンに一致しない時、ミス数をリセットするステップ、
前記伝送信号のパターンが前記既定パターンに一致しない時、前記ミス数を増やし、前記ヒット数を減らすステップ、および
前記ヒット数が前記ミス数より小さい、または等しい時、前記ヒット数と前記ミス数をリセットするステップを更に含む請求項１に記載のパケットプリアンブル検索方法。
【請求項３】
前記既定のビット長は、偶数である請求項２に記載のパケットプリアンブル検索方法。
【請求項４】
前記アドレス一致の手順は、前記パケットの宛先アドレスが正確かどうかを判定する請求項１に記載のパケットプリアンブル検索方法。
【請求項５】
順次の複数パターンを有し、且つ、前記各パターンが既定のビット長を有する受けた伝送信号内で、パケットのパケットプリアンブルを検索し、前記パケットプリアンブルは、既定の規則的なフォームの複数の既定パターンを含み、前記既定パターンは、既定のビット長を有するコミュニケーションシステムのパケットプリアンブル検索装置であって、
前記パターンを記憶する第１レジスタ、
前記既定パターンを記憶する第２レジスタ、
既定閾値を記憶する第３レジスタ、
ヒット数を記憶し、ヒット信号に基づいて前記ヒット数を増やす第１カウンター、
前記伝送信号のパターンを前記既定パターンと順次に比較し、前記ヒット数を前記既定閾値と比較する比較器、および
前記伝送信号のパターンが前記既定パターンに一致する時、前記比較器の比較結果に基づいて、前記ヒット信号を提供し、前記ヒット数が既定閾値より大きい、または等しい時、アドレスチェック信号を提供する制御ユニットを含むパケットプリアンブル検索装置。
【請求項６】
前記第１カウンターは、ミス信号に基づいてヒット数を減らし、第１リセット信号に基づいて前記ヒット数をリセットする請求項５に記載のパケットプリアンブル検索装置。
【請求項７】
前記比較器は、前記ヒット数をミス数と更に比較する請求項６に記載のパケットプリアンブル検索装置。
【請求項８】
前記制御ユニットは、前記伝送信号のパターンが前記既定パターンに一致する時、前記比較器の比較結果に基づいて、第２リセット信号を更に提供し、前記伝送信号のパターンが前記既定パターンに一致しない時、ミス信号を提供し、前記ヒット数が前記ミス数より小さい、または等しい時、前記第１リセット信号を提供する請求項７に記載のパケットプリアンブル検索装置。
【請求項９】
前記ミス数を記憶し、前記ミス信号に基づいて前記ミス数を増やし、前記第２リセット信号に基づいて前記ミス数をリセットする第２カウンターを更に含む請求項８に記載のパケットプリアンブル検索装置。
【請求項１０】
前記既定のビット長は、偶数である請求項５に記載のパケットプリアンブル検索装置。
【発明の詳細な説明】
【技術分野】
【０００１】
本発明は、検索方法とその装置に関し、特に、パケットプリアンブル検索方法とその装置に関するものである。
【背景技術】
【０００２】
コミュニケーションシステムでは、伝送信号は、伝送したいペイロード、宛先アドレスと、その他の特殊目的用の拡張機能を含む。例えば、伝送信号は、エラー検出／エラー訂正符号（ｅ．ｇ．巡回冗長検査（ＣＲＣ））と同期用のパケットプリアンブルを含むことができる。図１に示すように、上記のアイテムは、伝送前に単一パケットにアセンブルされる。パケットの形式は、図１に表されている。パケットは、パケットプリアンブル１１、宛先アドレス１２、ペイロード１３、巡回冗長検査１４を含む。パケットは、パケットプリアンブルによって先頭に配置され、コミュニケーションシステムの受信側によって、パケットの始点が検索されることができ、且つ、次に受ける信号が理解されるように確定する。パケットプリアンブルは、パケットプリアンブルが規則的なフォームでコード化されていることから、コミュニケーションシステムの受信側によって、容易に認識されることができる。仮に、パケットがパケットプリアンブルによって先頭に配置されずに直接、伝送された場合、伝送信号間に介在するノイズが宛先アドレスと一致する可能性がある。破損した伝送信号と宛先アドレス間の一致は、誤認警報を生じる。誤認警報は、破損した伝送信号がパケットプリアンブルと宛先アドレスに同時に一致した時にのみ、発生することから、誤認警報が発生する可能性は、パケットプリアンブルを有するパケットを先頭に配置することによって大幅に減少することができる。よって、パケットプリアンブル検索は、パケットの逆アセンブルのプロセスで、最も重要な問題となる。
【０００３】
従来技術では、コミュニケーションシステムの受信側による全パケットプリアンブルの検索が、例えば、宛先アドレスとエラー検出／エラー訂正符号などのパケットのその他の構成要素の後に続く逆アセンブリ作業を行なわなければならないことから、パケットプリアンブルの同じビット長の信号が受けた伝送信号から抽出されて、ビット単位のパターンの一致を完成する。仮に、抽出した信号がパケットプリアンブルと完全に一致した場合、パケットのその他の構成要素の後に続く逆アセンブリ作業が処理される。仮に、抽出した信号のいずれの１つのビットもパケットプリアンブルと一致しない場合、パケットプリアンブルの同じビット長のその他の一連の信号が受けた伝送信号から抽出され、受けた伝送信号から抽出された信号がパケットプリアンブルに一致するまで、パターンの一致が行われる。しかし、伝送信号は、悪い状態で伝送される時、ノイズによって干渉され、受けた伝送信号を好ましくないものにする。従来のパケットプリアンブル検索方法が必要とする完全なビット単位のパターンの一致は、全パケットプリアンブルが検索されなければならないことから、時間が掛かり、よって、コミュニケーション時間を遅延させ、効率を低下させる。
【発明の開示】
【発明が解決しようとする課題】
【０００４】
コミュニケーションシステムのパケットプリアンブル検索方法を提供する。
【課題を解決するための手段】
【０００５】
これに鑑みて、本発明は、順次の複数パターンを有する受けた伝送信号内で、パケットの既定の規則的なフォームの複数の既定パターンを有するパケットプリアンブルを検索するコミュニケーションシステムのパケットプリアンブル検索方法を提供する。受けた伝送信号のパターンとパケットプリアンブルの既定パターンは、同じ既定の偶数のビット長を有する。伝送信号のパターンは、既定パターンと順次に比較される。伝送信号のパターンが既定パターンに一致した時、ヒット数は増やされ、ミス数はリセットされる。伝送信号のパターンが既定パターンに一致しない時、ミス数は増やされ、ヒット数は減らされる。ヒット数がミス数より小さい、または等しい時、ヒット数とミス数は、リセットされる。ヒット数が既定閾値より大きい、または等しい時、アドレス一致の手順が起動される。
【０００６】
また、本発明は、順次の複数パターンを有する受けた伝送信号内で、既定の規則的なフォームの複数の既定パターンを有するパケットのパケットプリアンブルを検索するコミュニケーションシステムのパケットプリアンブル検索方法を提供する。受けた伝送信号のパターンとパケットプリアンブルの既定パターンは、同じ既定の偶数のビット長を有する。パケットプリアンブル検索装置は、第１レジスタ、第２レジスタ、第３レジスタ、第１カウンター、第２カウンター、比較器と、制御ユニットを含む。第１レジスタは、受けた伝送信号のパターンを記憶するものとして機能する。第２レジスタは、既定パターンを記憶するものとして機能する。第３レジスタは、既定閾値を記憶するものとして機能する。第１カウンターは、ヒット数を記憶するものとして機能し、ヒット信号に基づいてヒット数を増やし、ミス信号に基づいてヒット数を減らし、第１リセット信号に基づいてヒット数をリセットする。第２カウンターは、ミス数を記憶するものとして機能し、ミス信号に基づいてミス数を増やし、第２リセット信号に基づいてミス数をリセットする。比較器は、伝送信号のパターンを既定パターンと比較し、ヒット数を既定閾値と比較し、ヒット数をミス数と比較する。制御ユニットは、伝送信号のパターンが既定パターンに一致する時、比較器の比較結果に基づいて、ヒット信号と第２リセット信号を提供し、ヒット数が既定閾値より大きい、または等しい時、アドレスチェック信号を提供し、伝送信号のパターンが既定パターンに一致しない時、ミス信号を提供し、ヒット数がミス数より小さい、または等しい時、第１リセット信号と第２リセット信号を提供する。
【発明の効果】
【０００７】
本発明は、順次の複数パターンを有する受けた伝送信号内で、パケットの既定の規則的なフォームの複数の既定パターンを有するパケットプリアンブルを検索するコミュニケーションシステムのパケットプリアンブル検索方法を提供することで、効率を上げることができる。
【発明を実施するための最良の形態】
【０００８】
本発明についての目的、特徴、長所が一層明確に理解されるよう、以下に実施形態を例示し、図面を参照しながら、詳細に説明する。
【実施例】
【０００９】
図２は、本発明の実施例に基づいたパケットプリアンブル検索方法の操作フローチャートを表している。図２に示すように、先ず、順次の複数パターンを有する伝送信号がコミュニケーションシステムで受けられる（Ｓ２１）。順次の複数パターンは、“０”と“１”から構成される一連の信号である。続いて、伝送信号のパターンは、パケットプリアンブルの既定の規則的なフォームの既定パターンに順次に比較され、それらが一致しているかどうかがチェックされる（Ｓ２２）。伝送信号のパターンとパケットプリアンブルの既定パターンが完全に同じビット単位の時、“一致”と言われる。パケットプリアンブルは、下記の方式によって決まる。伝送パケットの宛先アドレス１２（図１を参照）の最上位ビット（ＭＳＢ）が０の時、パケットプリアンブルの既定の規則的なフォームの既定パターンは、“０１０１０１．．．０１”であり、（０１）ｎで表される。“ｎ”は、自然数である。伝送パケットの宛先アドレス１２（図１を参照）の最上位ビット（ＭＳＢ）が１の時、パケットプリアンブルの既定の規則的なフォームの既定パターンは、“１０１０１０．．．１０”であり、（１０）ｎで表される。“ｎ”は、自然数である。疑う余地なく、受けた伝送信号から抽出された各パターンとパケットプリアンブルの既定パターンは、同じ既定の偶数のビット長を有する。既定のビット長を２として例を挙げる。仮に受けた伝送信号が“０１１１０００１０１１００１１０”の場合、受けた伝送信号は、順次のパターン０１、１１、００、０１、０１、１０、０１と、１０を有するということである。また、伝送パケットの宛先アドレス１２（図１を参照）の最上位ビット（ＭＳＢ）が０の時、伝送パケットの既定の規則的なフォームの既定パターンが（０１）ｎであり、“ｎ”は１である。即ち、パケットプリアンブルの既定の規則的なフォームの既定パターンは、“０１”である。
【００１０】
伝送信号のパターンをパケットプリアンブルの既定の規則的なフォームの既定パターンと順次に比較し、それらが一致しているかどうかをチェックするプロセスの間、操作の流れは、以下を含む。受けた伝送信号のパターンがパケットプリアンブルの既定パターンと一致する時、ヒット数は増加され、ミス数はリセットされる（Ｓ２３）。続いて、ヒット数が既定閾値より大きいか、または等しいかどうかをチェックする（Ｓ２４）。ヒット数が既定閾値より大きい、または等しい時、アドレス一致の手順が起動される（Ｓ２５）。伝送信号のパターンをパケットプリアンブルの既定の規則的なフォームの既定パターンと順次に比較し、それらが一致しているかどうかをチェックするプロセス（Ｓ２２）をヒット数が既定閾値より大きく、または等しくなるまで続ける。または、受けた伝送信号のパターンがパケットプリアンブルの既定パターンと一致しない時、ミス数は増やされ、ヒット数は減される（Ｓ２６）。続いて、ヒット数が既定閾値より小さいか、または等しいかどうかをチェックする（Ｓ２７）。ヒット数が既定閾値より小さいか、または等しい時、ヒット数とミス数がリセットされる（Ｓ２８）。伝送信号のパターンをパケットプリアンブルの既定の規則的なフォームの既定パターンと順次に比較し、それらが一致しているかどうかをチェックするプロセス（Ｓ２２）をヒット数がミス数より大きい時、またはヒット数とミス数が同時にリセットされる時に続ける。
【００１１】
図３は、本発明の実施例に基づいたパケットプリアンブル検索方法の状態図を表している。伝送信号の各パターンとパケットプリアンブルの既定の規則的なフォームの既定パターンの既定のビット長は、２である。図３に示すように、オフ状態ＯＦＦ（Ｓ３１）、初期状態ＩＮＩＴ（Ｓ３２）、第１過渡状態ＳＹＭ１（Ｓ３３）、ヒット状態ＨＩＴ（Ｓ３４）、第２過渡状態ＳＹＭ２（Ｓ３５）、ミス状態ＭＩＳＳ（Ｓ３６）、第３過渡状態ＳＹＭ３（Ｓ３７）と、プリアンブル検索完成状態ＰＭＢ＿ＥＮ（Ｓ３８）を含む８つの状態を有する。各状態間の移行は、パラメータｈｉｔ＿ｃｎｔ、ｍｉｓｓ＿ｃｎｔと、ｐｍｂ＿ｔｈによって制御される。パラメータｈｉｔ＿ｃｎｔは、ヒット数の記録に用いられ、以下に説明されるように変更される。受けた伝送信号のパターンがパケットプリアンブルの既定パターンと一致する時（ｉ．ｅ．ヒット）、パラメータｈｉｔ＿ｃｎｔは、増加される。受けた伝送信号のパターンがパケットプリアンブルの既定パターンと一致しない時（ｉ．ｅ．ミス）、パラメータｈｉｔ＿ｃｎｔは、減少される。パラメータｈｉｔ＿ｃｎｔがパラメータｍｉｓｓ＿ｃｎｔより小さい、または等しい時、パラメータｈｉｔ＿ｃｎｔは、リセットされる（パラメータｍｉｓｓ＿ｃｎｔもリセットされる）。ミス数の記録に用いられるパラメータｍｉｓｓ＿ｃｎｔは、以下に説明されるように変更される。受けた伝送信号のパターンがパケットプリアンブルの既定パターンと一致しない時（ｉ．ｅ．ミス）、パラメータｍｉｓｓ＿ｃｎｔは、増加される。受けた伝送信号のパターンがパケットプリアンブルの既定パターンと一致する時（ｉ．ｅ．ヒット）、またはパラメータｈｉｔ＿ｃｎｔがパラメータｍｉｓｓ＿ｃｎｔより小さい、または等しい時、パラメータｍｉｓｓ＿ｃｎｔは、両方の状態においてリセットされる。また、パラメータｈｉｔ＿ｃｎｔがパラメータｍｉｓｓ＿ｃｎｔより小さい、または等しい時、パラメータｍｉｓｓ＿ｃｎｔのみがリセットされるだけでなく、パラメータｈｉｔ＿ｃｎｔも上述のようにリセットされる。パラメータｐｍｂ＿ｔｈは、検索システムによってセットされた既定閾値の記録に用いられる。パラメータｈｉｔ＿ｃｎｔがパラメータｐｍｂ＿ｔｈより大きい、または等しい時、パケットプリアンブル検索が完成される。状態の移行は、３つのｈｉｔ＿ｃｎｔ、ｍｉｓｓ＿ｃｎｔと、ｐｍｂ＿ｔｈによって影響される。状態機械は、その時の状態に基づいて１度変化する。オフ状態の時、状態ＯＦＦ（Ｓ３１）は、パラメータｐｍｂ＿ｃｏｒｒ＿ｅｎが１になるまで（ｉ．ｅ．パケットプリアンブル検索の命令は、検索システムによって発される）、状態ＩＮＩＴ（Ｓ３２）に移行しない。状態ＩＮＩＴ（Ｓ３２）の初期状態の時、全システムは、初期化され、受けた伝送信号のパターンがパケットプリアンブルの既定パターンと一致した時（ｉ．ｅ．ヒット）、状態ＨＩＴ（Ｓ３４）に移行する。または、状態ＩＮＩＴ（Ｓ３２）は、受けた伝送信号のパターンがパケットプリアンブルの既定パターンと一致しない時（ｉ．ｅ．ミス）、状態ＳＹＭ１（Ｓ３３）に移行する。検索システムは、状態ＩＮＩＴ（Ｓ３２）に戻り、何らかの問題が生じた時、またはパケットプリアンブルが長時間、認識されない時、パケットプリアンブル検索の命令を再度、発する。状態ＳＹＭ１（Ｓ３３）は、過渡状態である。受けた伝送信号のパターンがパケットプリアンブルの既定パターンと一致する時（ｉ．ｅ．ヒット）、状態ＳＹＭ１（Ｓ３３）、または状態ＩＮＩＴ（Ｓ３２）のいずれかが状態ＨＩＴ（Ｓ３４）に移行する。仮に、受けた伝送信号のパターンがパケットプリアンブルの既定パターンと全て一致する時（ｉ．ｅ．ヒット）、状態ＳＹＭ２（Ｓ３５）と状態ＨＩＴ（Ｓ３４）間の移行は、パラメータｈｉｔ＿ｃｎｔがパラメータｐｍｂ＿ｔｈより大きく、または等しくなるまで続き、続いて状態ＨＩＴ（Ｓ３４）が状態ＰＭＢ＿ＥＮ（Ｓ３８）に移行する。状態ＰＭＢ＿ＥＮ（Ｓ３８）では、パケットプリアンブル検索は、完成され、パラメータｐｍｂ＿ｃｏｒｒ＿ｅｎは、１にセットされる（ｉ．ｅ．アドレス一致の手順が起動される）。状態ＳＹＭ２（Ｓ３５）では、仮に、受けた伝送信号のパターンがパケットプリアンブルの既定パターンと一致しない時（ｉ．ｅ．ミス）、検出システムは、状態ＭＩＳＳ（Ｓ３６）に変わる。この時、仮にパラメータｈｉｔ＿ｃｎｔがパラメータｍｉｓｓ＿ｃｎｔよりまだ大きい時、検出システムは、状態ＳＹＭ３（Ｓ３７）に変わる。受けた伝送信号のパターンがパケットプリアンブルの既定パターンと一致する時（ｉ．ｅ．ヒット）、検出システムは、再度、状態ＨＩＴ（Ｓ３４）に変わる。または、受けた伝送信号のパターンがパケットプリアンブルの既定パターンと一致しない時（ｉ．ｅ．ミス）、パラメータｈｉｔ＿ｃｎｔをパラメータｍｉｓｓ＿ｃｎｔより小さく、または等しくなるまでさせ、検出システムが状態ＩＮＩＴ（Ｓ３２）に戻る。
【００１２】
図４は、本発明の実施例に基づいたパケットプリアンブル検索装置を表している。パケットプリアンブル検索装置は、第１レジスタ４０２、第２レジスタ４０５、第３レジスタ４０７、第１カウンター４０３、第２カウンター４０６、比較器４０９と、制御ユニット４０１を含む。
【００１３】
第１レジスタ４０２は、受けた伝送信号のパターンを記憶するものとして機能する。第２レジスタ４０５は、既定パターンを記憶するものとして機能する。第３レジスタは、既定閾値を記憶する。第１カウンター４０３は、ヒット数を記憶する。第２カウンター４０６は、ミス数を記憶する。比較器４０９は、伝送信号のパターンを既定パターンと比較し、ヒット数を既定閾値と比較し、ヒット数をミス数と比較する。制御ユニット４０１は、パケットプリアンブル検索装置の構成要素の信号伝送と操作順序を協調させ、制御する。
【００１４】
パケットプリアンブル検索装置が起動された時、制御ユニット４０１は、読み出し信号４２１によって第１レジスタ４０２から受けた伝送信号のパターンを読み出し、読み出したパターンを第１選択信号４２２によって信号Ａを選択し、第１マルチプレクサ４０４から比較器４０９に出力する。同時に、読み出し信号４２１によって第２レジスタ４０５からパケットプリアンブルの既定パターンを読み出し、読み出した既定パターンを第２選択信号４２３によって信号Ｂを選択し、第２マルチプレクサ４０８から比較器４０９に出力する。比較器４０９は、第１マルチプレクサ４０４からの信号Ａを第２マルチプレクサ４０８からの信号Ｂと比較し、比較結果を制御ユニット４０１に出力する。受けた伝送信号のパターンがパケットプリアンブルの既定パターンに一致する時、比較器４０９は、信号４３０を発生する。制御ユニット４０１は、信号４３０に基づいてヒット信号４２４を発生し、第１カウンター４０３を増やし、第２リセット信号４２７を発生し、第２カウンター４０６をリセットする。続いて、制御ユニット４０１は、読み出し信号４２１によって第１カウンター４０３からのヒット数を読み出し、読み出したヒット数を第１選択信号４２２によって信号Ａを選択し、第１マルチプレクサ４０４から比較器４０９に出力する。同時に、読み出し信号４２１によって第３レジスタ４０７から既定閾値を読み出し、読み出した既定パターンを第２選択信号４２３によって信号Ｂを選択し、第２マルチプレクサ４０８から比較器４０９に出力する。続いて、比較器４０９は、第１マルチプレクサ４０４からの信号Ａを第２マルチプレクサ４０８からの信号Ｂと比較し、比較結果を制御ユニット４０１に出力する。ヒット数が既定閾値より大きい、または等しい時（Ａ≧Ｂ）、比較器４０９は、信号４２９または４３０を発生する。制御ユニット４０１は、それに基づいてアドレスチェック信号４２８を発生する。ヒット数が既定閾値より小さい時（Ａ＜Ｂ）、比較器４０９は、信号４３１を発生する。制御ユニット４０１は、それに基づいて受けた伝送信号のその他のパターンをパケットプリアンブルの既定パターンと比較し続け、それらが一致するかどうかをチェックする。受けた伝送信号のパターンがパケットプリアンブルの既定パターンと一致しない時（Ａ＞Ｂ、またはＡ＜Ｂ）、比較器４０９は、信号４２９または４３１を発生する。制御ユニット４０１は、それに基づいて第１カウンター４０３を減らし、第２カウンター４０６を増やす。続いて、制御ユニット４０１は、読み出し信号４２１によって第１カウンター４０３からのヒット数を読み出し、読み出したヒット数を選択信号４２２によって信号Ａを選択し、第１マルチプレクサ４０４から比較器４０９に出力する。同時に、読み出し信号４２１によって第２カウンター４０６からミス数を読み出し、読み出したミス数を選択信号４２３によって信号Ｂを選択し、第２マルチプレクサ４０８から比較器４０９に出力する。比較器４０９は、第１マルチプレクサ４０４からの信号Ａを第２マルチプレクサ４０８からの信号Ｂと比較し、比較結果を制御ユニット４０１に出力する。ヒット数がミス数より小さい、または等しい時（Ａ≦Ｂ）、比較器４０９は、信号４３１または４３０を発生する。制御ユニット４０１は、それに基づいて第１リセット信号４２６を発生し、第１カウンター４０３をリセットし、第２リセット信号４２７を発生し、第２カウンター４０６をリセットする。ヒット数がミス数より大きい時（Ａ＞Ｂ）、比較器４０９は、信号４２９を発生する。制御ユニット４０１は、それに基づいて受けた伝送信号のその他のパターンをパケットプリアンブルの既定パターンと比較し続け、それらが一致するかどうかをチェックする。
【００１５】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００１６】
【図１】パケットの形式を表す図である。
【図２】本発明の実施例に基づいたパケットプリアンブル検索方法の操作フローチャートである。
【図３】本発明の実施例に基づいたパケットプリアンブル検索方法の状態図である。
【図４】本発明の実施例に基づいたパケットプリアンブル検索装置を表す図である。
【符号の説明】
【００１７】
１１        パケットプリアンブル
１２        宛先アドレス
１３        ペイロード
１４        巡回冗長検査
４０１      制御ユニット
４０２      第１レジスタ
４０３      第１カウンター
４０４      第１マルチプレクサ
４０５      第２レジスタ
４０６      第２カウンター
４０７      第３レジスタ
４０８    第２マルチプレクサ
４０９    比較器
４２０    伝送信号のパターン
４２１    読み出し信号
４２２    第１選択信号
４２３    第２選択信号
４２４    ヒット信号
４２５    ミス信号
４２６    第１リセット信号
４２７    第２リセット信号
４２８    アドレスチェック信号
４２９    Ａ＞Ｂ
４３０    Ａ＝Ｂ
４３１    Ａ＜Ｂ
Ａ、Ｂ    信号
Ｓ３１    ＯＦＦ状態
Ｓ３２    初期状態ＩＮＩＴ
Ｓ３３    第１過渡状態ＳＹＭ１
Ｓ３４    ヒット状態ＨＩＴ
Ｓ３５    第２過渡状態ＳＹＭ２
Ｓ３６    ミス状態ＭＩＳＳ
Ｓ３７    第３過渡状態ＳＹＭ３
Ｓ３８    プリアンブル検索完成状態ＰＭＢ＿ＥＮ
Ｔ１１、Ｔ１２、Ｔ２３、Ｔ２４、Ｔ３２、Ｔ３４、Ｔ４５、Ｔ４８、Ｔ５４、Ｔ５６、Ｔ６２、Ｔ６７、Ｔ７４、Ｔ７６、Ｔ８１、Ｔ８８  状態移行
【図１】
2007184922.tif 000003
【図２】
2007184922.tif 000004
【図３】
2007184922.tif 000005
【図４】
2007184922.tif 000006